(57)【要約】【課題】替刃カートリッジの中立位置への復帰をより円滑に行うことができる首振り式剃刀を提供する。【解決手段】替刃カートリッジ１２に加わる所定方向の力が解除されたとき、替刃カートリッジを中立位置に復帰させるようにプッシャ用スプリング８１及び把持用スプリング１１０が協働して第２プッシャ７１及び支持アーム１００を付勢するようにした。このため、例えば替刃カートリッジ１２を中立位置に復帰させるように把持用スプリング１１０により支持アーム１００を付勢しないようにした場合に比べて、替刃カートリッジの中立位置への復帰をより円滑に行うことができる。【選択図】　　　　図４
2004033295.tif 000002
【特許請求の範囲】
【請求項１】
刃体を有する替刃カートリッジをホルダ側に設けた支持手段により所定方向へ傾動可能に支持すると共に、使用時に支持手段を支点として所定方向に傾動した替刃カートリッジを中立位置に復帰させる復帰手段を備えた首振り式剃刀において、
前記復帰手段を複数設け、替刃カートリッジに加わる所定方向の力が解除されたとき、替刃カートリッジを中立位置に復帰させるように各復帰手段が協働して前記支持手段を付勢するようにした首振り式剃刀。
【請求項２】
前記支持手段は、替刃カートリッジに当接可能とされた押圧部材及び替刃カートリッジを把持可能とされた一対の把持部材を備え、
前記復帰手段は、前記押圧部材を替刃カートリッジに対する当接方向に付勢する第１付勢手段及び両把持部材を替刃カートリッジに対する把持方向に付勢する第２付勢手段を備えた請求項１に記載の首振り式剃刀。
【請求項３】
前記押圧部材及び両把持部材をそれぞれ近接配置するようにした請求項２に記載の首振り式剃刀。
【請求項４】
前記押圧部材及び両把持部材をそれぞれホルダの内方へ移動可能に構成し、前記替刃カートリッジに所定方向の力が加わったとき、当該替刃カートリッジを前記当接方向とは反対の方向に移動させるようにした請求項２又は請求項３に記載の首振り式剃刀。
【発明の詳細な説明】
【０００１】
【発明の属する技術分野】
本発明は、替刃カートリッジをホルダに対して首振り可能に支持するようにした首振り式剃刀に関するものである。
【０００２】
【従来の技術】
この種の首振り式剃刀としては例えば次のような構成が従来から知られている。即ち、刃体を有する替刃カートリッジには一対の支持孔が互いに離間するように設けられており、ホルダにはこの両支持孔に係入される支持突部を有する一対の支持アームが設けられている。替刃カートリッジは両支持孔にそれぞれ支持突部を係入することにより、両支持アームの支持突部を中心に回動可能に支持され、ホルダに対して首振り可能とされている。
【０００３】
【発明が解決しようとする課題】
前記従来の首振り式剃刀においては、替刃カートリッジを中立位置に復帰させるためのプッシャが設けられている。しかしながら、このプッシャは替刃カートリッジの中央付近に一つだけ設けられることが多く、替刃カートリッジの中立位置への円滑な復帰の向上には限界があった。
【０００４】
本発明は上記問題点を解決するためになされたものであって、その目的は、替刃カートリッジの中立位置への復帰をより円滑に行うことができる首振り式剃刀を提供することにある。
【０００５】
【課題を解決するための手段】
請求項１に記載の発明は、刃体を有する替刃カートリッジをホルダ側に設けた支持手段により所定方向へ傾動可能に支持すると共に、使用時に支持手段を支点として所定方向に傾動した替刃カートリッジを中立位置に復帰させる復帰手段を備えた首振り式剃刀において、前記復帰手段を複数設け、替刃カートリッジに加わる所定方向の力が解除されたとき、替刃カートリッジを中立位置に復帰させるように各復帰手段が協働して前記支持手段を付勢するようにしたことを要旨とする。
【０００６】
請求項２に記載の発明は、請求項１に記載の首振り式剃刀において、前記支持手段は、替刃カートリッジに当接可能とされた押圧部材及び替刃カートリッジを把持可能とされた一対の把持部材を備え、前記復帰手段は、前記押圧部材を替刃カートリッジに対する当接方向に付勢する第１付勢手段及び両把持部材を替刃カートリッジに対する把持方向に付勢する第２付勢手段を備えたことを要旨とする。
【０００７】
請求項３に記載の発明は、請求項２に記載の首振り式剃刀において、前記押圧部材及び両把持部材をそれぞれ近接配置するようにしたことを要旨とする。
請求項４に記載の発明は、請求項２又は請求項３に記載の首振り式剃刀において、前記押圧部材及び両把持部材をそれぞれホルダの内方へ移動可能に構成し、前記替刃カートリッジに所定方向の力が加わったとき、当該替刃カートリッジを前記当接方向とは反対の方向に移動させるようにしたことを要旨とする。
（作用）
請求項１に記載の発明によれば、替刃カートリッジに加わる所定方向の力が解除されたとき、替刃カートリッジを中立位置に復帰させるように各復帰手段が協働して前記支持手段を付勢する。このため、付勢手段が例えば一つの場合に比べて、替刃カートリッジの中立位置への復帰がより円滑に行われる。
【０００８】
請求項２に記載の発明によれば、請求項１に記載の発明の作用に加えて、替刃カートリッジに加わる所定方向の力が解除されたとき、替刃カートリッジを中立位置に復帰させるように第１付勢手段及び第２付勢手段が協働して押圧部材及び両把持部材をそれぞれ付勢する。
【０００９】
請求項３に記載の発明によれば、請求項２に記載の発明の作用に加えて、前記押圧部材及び両把持部材はそれぞれ近接配置される。このため、首振り運動を含む所定方向への傾動がより円滑に行われる。
【００１０】
請求項４に記載の発明によれば、請求項２又は請求項３に記載の発明の作用に加えて、前記替刃カートリッジに所定方向の力が加わったとき、当該替刃カートリッジは前記第１付勢手段及び第２付勢手段の付勢力に抗して前記当接方向とは反対の方向に移動する。押圧部材及び両把持部材はそれぞれホルダの内方へ移動する。替刃カートリッジに加わる所定方向の力が解除されたときには、替刃カートリッジを中立位置に復帰させるように第１付勢手段及び第２付勢手段が協働して押圧部材及び両把持部材を付勢する。替刃カートリッジは前記当接方向に移動する。
【００１１】
【発明の実施の形態】
以下、本発明を首振り式剃刀に具体化した一実施形態を図１〜図８（ａ），（ｂ）に従って説明する。
【００１２】
図１に示すように、首振り式剃刀１１は、替刃カートリッジ１２と当該替刃カートリッジ１２を首振り可能に支持するホルダ１３とを備えている。
（替刃カートリッジ）
図１及び図３（ａ）に示すように、替刃カートリッジ１２は刃台２１を備えており、当該刃台２１の裏面（ホルダ１３装着面）中央には凹部２２が形成されている。図３（ｂ）に示すように、凹部２２の内底面における刃先側には長孔２３が替刃カートリッジ１２の長手方向に沿うように形成されている。長孔２３の中央付近には一対の規制片２４，２４が長孔２３を３つに区画するように所定間隔をおいて設けられている。
【００１３】
また、凹部２２の中央部において、両規制片２４，２４間には被押圧部２５が凹部２２を２つの室に区画するように形成されている。被押圧部２５は断面台形状に形成されており、被押圧部２５のホルダ１３装着側側面における２つの斜面はそれぞれ被押圧面２５ａとされている。被押圧部２５の刃先側には支持孔２６が形成されている。支持孔２６は長孔２３における両規制片２４，２４間に連通している。図３（ｃ）に示すように、支持孔２６のホルダ１３側の面は円弧面２６ａとされている。また、支持孔２６の中央には隔壁２７が形成されている。
【００１４】
図１に示すように、替刃カートリッジ１２の表面上部寄りには髭等を剃るための３枚の刃体２８の刃先が露出しており、各刃体２８の上方には複数の安全ガード２９が設けられている。
【００１５】
（機構ユニット）
図２に一点鎖線で示すように、ホルダ１３の頭部内には替刃カートリッジ１２を首振り可能に支持する機構ユニット３１が組み込まれている。機構ユニット３１はプッシャ機構３２及び把持機構３３を備えている。
【００１６】
＜プッシャ機構＞
まず、プッシャ機構３２について説明する。プッシャ機構はハウジング４１、第１カム部材５１、第１プッシャ６１、第２プッシャ７１及びプッシャ用スプリング８１を備えている。
【００１７】
（ハウジング）
図４に示すように、プッシャ機構３２はハウジング４１を備えている。ハウジング４１は四角枠状に形成されており、当該ハウジング４１の互いに対向する一対の枠材にはそれぞれガイド部４２が設けられている。ハウジング４１における上部背側の中央にはプッシャガイド溝４３（図５（ｂ）参照）が形成されている。ハウジング４１の上部内面には、それぞれ規制突部４４，４４が互いに対向するように形成されている。ハウジング４１の内面において両規制突部４４，４４の上部にはそれぞれアーム支持凹部４５，４５が形成されている。
【００１８】
（第１カム部材）
ハウジング４１内には第１カム部材５１が配置されている。第１カム部材５１は四角枠状に形成されており、図４における左右方向において互いに対向する一対の枠材外面の先端側（図４における上部）にはそれぞれ被ガイド部５１ａ，５１ａが形成されている。第１カム部材５１には一対のガイド孔５２，５２が図４における上下方向に延びるように形成されている。
【００１９】
また、第１カム部材５１の上部腹側において、ガイド孔５２，５２の上部にはそれぞれガイド溝５３，５３（図４に破線で示す）が形成されている。さらに、第１カム部材５１において、図４における左右方向において互いに対向する一対の枠材の腹側下部には、それぞれ当接片５４，５４（図４に破線で示す）が形成されている。両当接片５４，５４はそれぞれハウジング４１の下部枠材に当接可能とされている。第１カム部材５１の上部枠材の上面中央にはスプリング下部支持ピン５５が突設されている。
【００２０】
第１カム部材５１はハウジング４１の腹側から重ね合わせられており、被ガイド部５１ａの背側面とハウジング４１のガイド部４２の背側面とは互いに摺動可能に接触している。第１カム部材５１は両被ガイド部５１ａ，５１ａがそれぞれハウジング４１の両ガイド部４２，４２にガイドされながらハウジング４１に対して相対的に上下動可能とされている。
【００２１】
第１カム部材５１の中央部枠材の背側側面には、リリースボタン５６（図２参照）の底面に形成された一対の嵌合突起（図示略）をそれぞれ嵌合可能とした２つの被嵌合穴５７，５７が形成されている。ホルダ１３の背側壁における頭部寄りには、長孔（図示略）がホルダ１３の長手方向に沿うように形成されており、リリースボタン５６の２つの嵌合突起はこの長孔を介してそれぞれ被嵌合穴５７，５７に嵌合されている。
【００２２】
リリースボタン５６は外部操作により長孔の範囲内において図２及び図４における上下方向にホルダ１３の背側壁表面に沿うようにスライド可能となっている。第１カム部材５１はリリースボタン５６と一体移動可能とされており、リリースボタン５６を図２及び図４における上方に移動操作すると、第１カム部材５１も上方に移動する。
【００２３】
（第１プッシャ）
図４に示すように、第１プッシャ６１は逆Ｕ字状に形成されている。第１プッシャ６１は図４における左右方向において互いに対向する両脚部６２，６２を備えている。両脚部６２，６２はそれぞれ第１カム部材５１の腹側から重ね合わせられており、両脚部６２，６２は第１カム部材５１のガイド溝５３内に摺動可能に配置されている。
【００２４】
両脚部６２，６２における基端部の背側側面にはそれぞれ案内突部６３，６３が形成されており、両案内突部６３，６３はそれぞれ第１カム部材５１の両ガイド孔５２，５２内に配置されている。また、両脚部６２，６２の外面上部寄りにはそれぞれ係止突部６４，６４が形成されており、両係止突部６４，６４はそれぞれハウジング４１の両規制突部４４，４４に当接可能とされている。第１プッシャ６１の上部腹側には突条６５（図５（ａ）参照）が形成されており、この突条６５はハウジング４１のプッシャガイド溝４３内に配置されている。第１プッシャ６１の上部背側には第２プッシャガイド溝６６が形成されている。
【００２５】
第１プッシャ６１は両脚部６２，６２、両案内突部６３，６３及び突条６５がそれぞれ両ガイド溝５３，５３、両ガイド孔５２，５２及びプッシャガイド溝４３にガイドされながら第１カム部材５１に対して相対的に上下動可能とされている。係止突部６４，６４がハウジング４１の両規制突部４４，４４に当接することにより第１プッシャ６１の図４における上方への移動が規制される。
【００２６】
（第２プッシャ）
図４に示すように、第２プッシャ７１は第１プッシャ６１の背側から重ね合わせられており、当該第２プッシャ７１の上部（先端）にはＶ字状の係合切欠７２が形成されている。係合切欠７２は替刃カートリッジ１２の被押圧部２５におけるホルダ１３装着側側面（被押圧面２５ａ）に対して係合可能とされている。第２プッシャ７１の腹側中央にはガイド突条７３が図４における上下方向に延びるように形成されており、当該ガイド突条７３は第１プッシャ６１の第２プッシャガイド溝６６内に配置されている。
【００２７】
また、第２プッシャ７１の底面にはスプリング上部支持ピン７４が突設されおり、当該第２プッシャ７１の腹側下部には規制片７５が形成されている。第２プッシャ７１はガイド突条７３が第２プッシャガイド溝６６にガイドされながら第１プッシャ６１に対して相対的に上下動可能とされている。
【００２８】
（プッシャ用スプリング）
図４に示すように、第１カム部材５１の上面と第２プッシャ７１の底面との間にはプッシャ用スプリング８１が介在されている。プッシャ用スプリング８１の上下両端部には、第１カム部材５１のスプリング下部支持ピン５５と第２プッシャ７１のスプリング上部支持ピン７４とがそれぞれ挿通されている。これにより、プッシャ用スプリング８１の第１カム部材５１上面及び第２プッシャ７１底面に沿う方向への移動が規制される。
【００２９】
第１カム部材５１及び第２プッシャ７１はプッシャ用スプリング８１の弾性力により互いに遠ざかる方向へ常時付勢されている。即ち、第１カム部材５１は図４における下方へ付勢されており、第２プッシャ７１は図４における上方（替刃カートリッジ１２に対する当接方向）へ付勢されている。第１カム部材５１の下方への移動は両当接片５４，５４がハウジング４１の下部枠材に当接することにより規制される。また、第２プッシャ７１の上方への移動は、当該第２プッシャ７１の規制片７５が第１プッシャ６１の上部に形成された当接部（図示略）に当接することにより規制される。
【００３０】
＜把持機構＞
次に、把持機構３３について説明する。把持機構３３はハウジング４１及び第１カム部材５１に加えて、第２カム部材９１、一対の支持アーム１００及び把持用スプリング１１０を備えている。把持機構３３はハウジング４１及び第１カム部材５１をそれぞれプッシャ機構３２と共用する。尚、図５（ｂ）及び図６（ｂ）においては、説明の便宜上第１カム部材５１、第１プッシャ６１、第２プッシャ７１及びプッシャ用スプリング８１をそれぞれ省略して図示する。
【００３１】
（第２カム部材）
図５（ａ），（ｂ）に示すように、第２カム部材９１の背側側面にはＶ字条のアームガイド溝９２が形成されている。また、第２カム部材９１の背側側面の下部には係合溝９３がアームガイド溝９２に連続するように形成されていると共に、当該係合溝９３を間に挟むようにして一対のガイド突部９４，９４が形成されている。第２カム部材９１下部の外側壁には一対の段部９５，９５が形成されている。
【００３２】
第２カム部材９１は、両ガイド突部９４，９４がそれぞれ第１カム部材５１の両ガイド孔５２，５２内に位置するように、第１カム部材５１の腹側から重ね合わせられている。そして、第２カム部材９１はガイド突部９４，９４がそれぞれ第１カム部材５１の両ガイド孔５２，５２に案内されながら当該第１カム部材５１に対して相対的に上下動可能とされている。また、両段部９５，９５にはそれぞれ第１カム部材５１の当接片５４，５４が係合可能となっている。従って、第１カム部材５１がハウジング４１に対して上動すると、第２カム部材９１も上動する。
【００３３】
（支持アーム）
図５（ａ），（ｂ）に示すように、両支持アーム１００の上部（先端部）には支持突部１０１が所定方向に突出するように形成されている。支持アーム１００の上部側において、支持突部１０１よりも下の位置には揺動支持部１０２（図５（ｂ）参照）が支持突部１０１とは反対方向（外方）に且つ下方へ斜状に突出するように形成されている。支持アーム１００において、支持突部１０１の突出側側縁の中程には把持用スプリング支持ピン１０３が形成されている。支持アーム１００の下部（基端部）には係合突部１０４が形成されている。
【００３４】
両支持アーム１００，１００はぞれぞれ支持突部１０１が互いに内方を向いて対向するように配置されており、揺動支持部１０２はハウジング４１のアーム支持凹部４５，４５内に上方から係合可能となっている。また、支持アーム１００の基端部は第２カム部材９１のアームガイド溝９２内における上部に位置している。支持突部１０１を含む支持アーム１００の先端部はハウジング４１の上部開口部及びホルダ１３の上部開口部を介して当該ホルダ１３の上部から突出している（図２参照）。
【００３５】
両支持アーム１００，１００において、両把持用スプリング支持ピン１０３，１０３間には把持用スプリング１１０が介装されている。把持用スプリング１１０は両支持アーム１００，１００の中央部よりも下側に配置されている。このため、両支持アーム１００，１００の支持突部１０１を含む先端側は把持用スプリング１１０の弾性力により互いに近接する方向（閉じ方向）に常時付勢されている。両支持アーム１００，１００の基端部側は把持用スプリング１１０の弾性力により互いに離間する方向に常時付勢されている。
【００３６】
第２カム部材９１が上方に移動、即ち図５（ａ），（ｂ）に示す位置から図６（ａ），（ｂ）に移動すると、両支持アーム１００，１００の基端部はそれぞれ当該第２カム部材９１のアームガイド溝９２に案内されながら係合溝９３側へ、即ち互いに近接する方向へそれぞれ移動する。このとき、両支持アーム１００，１００の先端部は、それぞれ揺動支持部１０２がアーム支持凹部４５内に入り込むように動作すると共に、両支持突部１０１，１０１が互いに離間するように開動作する。
【００３７】
（替刃カートリッジの装着状態）
図４に示すように、替刃カートリッジ１２の装着状態において、両支持アーム１００，１００の支持突部１０１は替刃カートリッジ１２の支持孔２６に係入されており、把持用スプリング１１０の弾性力により替刃カートリッジ１２の隔壁２７を両側から挟持している。また、支持アーム１００の先端上行縁（支持突部１０１の上行縁）は規制片２４に接触しており、同じく先端下行縁（支持突部１０１の下行縁）は支持孔２６の円弧面２６ａに接触している。
【００３８】
一方、第２プッシャ７１の係合切欠７２は替刃カートリッジ１２における被押圧部２５の被押圧面２５ａに当接している。そして、第２プッシャ７１はプッシャ用スプリング８１の弾性力により替刃カートリッジ１２を下方から上方に付勢することにより当該替刃カートリッジ１２を図４に示す中立位置に保持している。
【００３９】
図４に示す中立状態において、支持アーム１００の支持突部１０１は替刃カートリッジ１２の支持孔２６に係入されているので、当該支持アーム１００はプッシャ用スプリング８１の弾性力により替刃カートリッジ１２と共に上方へ常時付勢されている。これにより、支持アーム１００は揺動支持部１０２がアーム支持凹部４５の内底面から浮いた状態で保持されている。そして、この浮いている分だけ支持アーム１００はホルダ１３の内方（図４における下方）へ移動可能となっている。即ち、替刃カートリッジ１２は後述する上下運動を行い得るように両支持アーム１００，１００及び第２プッシャ７１により支持されている。支持アーム１００の一部がプッシャガイド溝４３の下部に当接することにより当該支持アーム１００の上方への移動が規制される。
【００４０】
また、替刃カートリッジ１２は支持アーム１００及び第２プッシャ７１により所定方向（後述する前後方向及び左右方向）に傾動可能に支持されている。さらに、図４に示す中立状態において、替刃カートリッジ１２は両支持アーム１００及び第２プッシャ７１の近傍を通過すると共に第２プッシャ７１の替刃カートリッジ１２に対する当接方向（図４における上方）に沿う線分を回動中心として図３（ａ），（ｂ）における左右方向に回動可能に支持されている。
【００４１】
尚、本実施形態において、隔壁２７は被把持部を構成し、第２プッシャ７１は支持手段及び押圧部材を構成する。また、プッシャ用スプリング８１は復帰手段及び第１付勢手段を構成し、支持アーム１００は支持手段及び把持部材を構成する。さらに、把持用スプリング１１０は復帰手段及び第２付勢手段を構成する。第１プッシャ６１、第２プッシャ７１、第２カム部材９１、支持アーム１００及び把持用スプリング１１０は自動復帰機構を構成する。
【００４２】
（替刃カートリッジの取外し作業）
次に、替刃カートリッジ１２の取外し作業について説明する。
図４に示すように、替刃カートリッジ１２をホルダ１３から取り外す場合、リリースボタン５６をプッシャ用スプリング８１の弾性力に抗してホルダ１３の背側側面に沿うように上方へスライドさせる。すると、第１カム部材５１は図４における上方へ移動する。これに伴い、支持アーム１００の係合突部１０４は把持用スプリング１１０の弾性力に抗してアームガイド溝９２にガイドされながら係合溝９３側へ互いに近接するように移動する。両支持アーム１００基端部の閉じ動作に伴って、両支持突部１０１は互いに離間する方向へ開動作する。
【００４３】
そして、第１カム部材５１が図６（ａ），（ｂ）に示す位置まで上動すると、支持アーム１００の係合突部１０４は係合溝９３に係合する。把持用スプリング支持ピン１０３の弾性力よりも、係合突部１０４の係合溝９３に対する係合力の方が大きくなっている。このため、両支持突部１０１は把持用スプリング支持ピン１０３の弾性力により閉じ方向に常時付勢されているものの、開状態に保持される。支持突部１０１による隔壁２７の挟持が解除されることにより、替刃カートリッジ１２を取外し可能となる。
【００４４】
（替刃カートリッジの取付け作業）
次に、替刃カートリッジ１２の取付け作業について説明する。
ホルダ１３に替刃カートリッジ１２を取り付ける場合、図５（ａ），（ｂ）に示す開状態に保持された支持突部１０１間に替刃カートリッジ１２の被押圧部２５を介在させると共に、被押圧部２５をプッシャ用スプリング８１の弾性力に抗して第２プッシャ７１の係合切欠７２に対して押しつける。この押圧に伴って第１プッシャ６１が徐々に下方へ移動し、当該第１プッシャ６１の案内突部６３が図６（ａ）に示す位置に保持された第１カム部材５１のガイド突部９４に当接する。
【００４５】
さらに押圧して、ガイド突部９４に作用する押圧力が係合突部１０４の係合溝９３に対する係合力を超えると、第２カム部材９１が下方へ移動し、これに伴って支持アーム１００の係合突部１０４が第２カム部材９１の係合溝９３から離脱する。すると、把持用スプリング支持ピン１０３の弾性力により、支持アーム１００の先端は閉じ方向へ移動し、支持突部１０１は替刃カートリッジ１２の隔壁２７を両側から把持する。また基端（係合突部１０４）は開き方向へアームガイド溝９２に案内されながら拡開する。
【００４６】
このように、両支持アーム１００，１００における基端部の係合溝９３に対する係合状態を解除することにより、両支持アーム１００，１００の先端部は閉じ方向に弾性復帰し、替刃カートリッジ１２を所定方向に傾動可能に把持する。このため、替刃カートリッジ１２を取り付けるためにリリースボタン５６を例えば取外し時と逆方向へ操作して、両支持アーム１００，１００の先端部を開動作させる必要がない。
【００４７】
（前後傾動動作）
次に、使用時における替刃カートリッジ１２のホルダ１３に対する前後傾動運動（首振り運動）について説明する。
【００４８】
替刃カートリッジ１２が図７（ａ）に示す中立位置に保持された状態で首振り式剃刀１１が使用され、替刃カートリッジ１２に対して所定方向の力が加わると、替刃カートリッジ１２は次のように動作する。即ち、図７（ｂ）に示すように、替刃カートリッジ１２は第２プッシャ７１による圧接力（プッシャ用スプリング８１の弾性力）に抗して、図７（ａ），（ｂ）に示す右方向に両支持突部１０１を支点として回動（傾動）する。図７（ｂ）に示すように、第２プッシャ７１は替刃カートリッジ１２の回動量に応じてホルダ１３内に移動する。
【００４９】
前記所定方向の力が解除されると、第２プッシャ７１はプッシャ用スプリング８１の弾性力により図７（ａ），（ｂ）における上方へ移動し、第２プッシャ７１の係合切欠７２は替刃カートリッジ１２の被押圧部２５に対して下方から圧接する。これにより、替刃カートリッジ１２は、図７（ａ），（ｂ）に示す左方向に両支持突部１０１を支点として回動し、図７（ａ）に示す中立位置において静止する。このように、替刃カートリッジ１２は両支持突部１０１を支点として前後傾動運動（図７（ａ），（ｂ）における右方向及び左方向への回動）を行い得る。
【００５０】
（左右傾動運動）
次に、使用時における替刃カートリッジ１２のホルダ１３に対す左右傾動運動について説明する。
【００５１】
替刃カートリッジ１２が図４に示す中立位置に保持された状態で首振り式剃刀１１が使用され、替刃カートリッジ１２に対して所定方向の力が加わると、図８（ａ），（ｂ）に示すように、傾動側の支持アーム１００は把持用スプリング１１０の弾性力に抗してホルダ１３内に移動する。このため、替刃カートリッジ１２は図８（ａ）における右方向、又は図８（ｂ）における左方向に被押圧部２５を支点として回動（傾動）する。
【００５２】
このとき、傾動側の支持アーム１００の支持突部１０１は替刃カートリッジ１２の隔壁２７に密着するものの、傾動側ではない方の支持アーム１００の支持突部１０１は隔壁２７から離間する。図８（ａ）における右傾動運動時には左側の支持突部１０１が隔壁２７から離間し、図８（ｂ）における左傾動運動時には右側の支持突部１０１が隔壁２７から離間する。
【００５３】
前記所定方向の力が解除されると、傾動側の支持アーム１００は把持用スプリング１１０の弾性力により図８（ａ），（ｂ）における上方へ移動する。これにより替刃カートリッジ１２は、図８（ａ）に示す左方向、又は図８（ｂ）に示す右方向へ被押圧部２５を支点として回動し、図４に示す中立位置において静止する。このように、替刃カートリッジ１２は被押圧部２５を支点として左右傾動運動を行い得る。
【００５４】
（上下運動）
次に、替刃カートリッジ１２の上下運動について図９に従って説明する。尚、図９においては、説明の便宜上第１カム部材５１、第１プッシャ６１、第２プッシャ７１及びプッシャ用スプリング８１をそれぞれ省略して図示する。
【００５５】
替刃カートリッジ１２が図９に実線で示す中立位置に保持された状態で首振り式剃刀１１が使用され、替刃カートリッジ１２に対して所定方向の力が加わると、当該替刃カートリッジ１２は次のように動作する。即ち、図４に二点鎖線で示すように、替刃カートリッジ１２は、第２プッシャ７１による圧接力（プッシャ用スプリング８１の弾性力）及び把持用スプリング１１０の弾性力に抗して図９における下方（第２プッシャ７１の替刃カートリッジ１２に対する当接方向と反対方向）へ移動する。両支持アーム１００の揺動支持部１０２がハウジング４１のアーム支持凹部４５に係合することにより、替刃カートリッジ１２の下方への移動（両支持アーム１００のホルダ１３内への移動）が規制される。
【００５６】
前記所定方向の力が解除されると、第２プッシャ７１及び両支持アーム１００，１００はそれぞれプッシャ用スプリング８１及び把持用スプリング１１０の弾性力により図９における上方（第２プッシャ７１の替刃カートリッジ１２に対する当接方向）へ移動する。そして、替刃カートリッジ１２は、図９に実線で示す中立位置において静止する。このように、替刃カートリッジ１２は第２プッシャ７１の進退方向に沿う上下運動を行い得る。
【００５７】
（組合わせ運動）
前後傾動運動（首振り運動）、左右傾動運動及び上下運動はそれぞれ単独で行い得るが、それらの運動を適宜組合わせた運動も行い得る。
【００５８】
（実施形態の効果）
従って、本実施形態によれば、以下の効果を得ることができる。
（１）替刃カートリッジ１２に加わる所定方向の力が解除されたとき、替刃カートリッジを中立位置に復帰させるようにプッシャ用スプリング８１及び把持用スプリング１１０が協働して第２プッシャ７１及び支持アーム１００を付勢するようにした。このため、例えば替刃カートリッジ１２を中立位置に復帰させるように把持用スプリング１１０により支持アーム１００を付勢しないようにした場合に比べて、替刃カートリッジの中立位置への復帰をより円滑に行うことができる。ひいては、顔面等の凹凸に応じて円滑に傾動及び復帰を繰り返すことにより、髭などの剃り味が向上し、使いやすくなる。
【００５９】
（２）第２プッシャ７１及び両支持アーム１００をそれぞれ近接配置するようにした。具体的には、替刃カートリッジ１２には第２プッシャ７１が当接する被押圧部２５を設け、この被押圧部２５には両支持アーム１００により把持される隔壁２７を設けるようにした。このため、首振り運動を含む所定方向への傾動をより円滑に行うことができる。
【００６０】
（３）替刃カートリッジ１２を取り外したときには両支持アーム１００をそれぞれ被把持状態に保持すると共に、替刃カートリッジ１２を取り付けるときには両支持アーム１００を把持状態に自動復帰させるようにした。このため、替刃カートリッジ１２のホルダ１３への取付け作業を簡単にすることができる。リリースボタン５６を操作する必要もない。
【００６１】
（４）替刃カートリッジ１２は図７（ａ），（ｂ）に示す前後傾動運動（いわゆる首振り運動）や図８に示す左右傾動運動だけでなく、それ以外の方向にも運動を行い得るように構成した。例えば、替刃カートリッジ１２は図９に示す上下運動をも行い得る。このため、使用時、替刃カートリッジ１２は、力のかかる方向へ、より柔軟に追従して動く。従って、剃り味が向上すると共に、使い易くなる。
【００６２】
（別例）
尚、前記実施形態は以下のような別例に変更して実施してもよい。
・復帰手段としてプッシャ用スプリング８１及び把持用スプリング１１０（それぞれ圧縮コイルバネ）を使用したが、例えば板ばねやゴム体等に変更してもよい。
【００６３】
（付記）
次に前記実施形態及び別例から把握できる技術的思想を以下に追記する。
・前記替刃カートリッジには前記押圧部材が当接する被押圧部を設け、この被押圧部には両把持部材により把持される被把持部を設けるようにした請求項３に記載の首振り式剃刀。この構成によれば、押圧部材は替刃カートリッジの被押圧部に当接すると共に、この被押圧部は両把持部材により把持される。このため、替刃カートリッジは被押圧部において両把持部材及び押圧部材によりホルダに支持される。従って、押圧部材及び両把持部材をそれぞれ被押圧部の近傍に位置させることができる。
【００６４】
・前記替刃カートリッジを取り外したときには両把持部材をそれぞれ被把持状態に保持すると共に、替刃カートリッジを取り付けるときには両把持部材を把持状態に復帰させる自動復帰機構を設けた請求項２〜請求項４のうちいずれか一項に記載の首振り式剃刀。この構成によれば、前記替刃カートリッジを取り外したときには両把持部材をそれぞれ被把持状態に保持される。替刃カートリッジを取り付けるときには両把持部材は把持状態に自動的に復帰する。このため、替刃カートリッジのホルダへの取付け作業が簡単になる。
【００６５】
【発明の効果】
本発明によれば、替刃カートリッジの中立位置への復帰をより円滑に行うことができる。
【図面の簡単な説明】
【図１】本実施形態における首振り式剃刀を腹側から見た斜視図。
【図２】本実施形態における首振り式剃刀を背側から見た斜視図。
【図３】（ａ）は刃台のホルダ装着面の正面図、（ｂ）は刃台の刃体装着面の正面図、（ｃ）は図３（ａ）における１−１線断面図。
【図４】機構ユニットを背側からみたときの正面図。
【図５】（ａ）は閉状態の機構ユニットを腹側から見たときの正面図、（ｂ）は閉状態の機構ユニットを背側からみたときの要部正面図。
【図６】（ａ）は開状態の機構ユニットを腹側から見たときの正面図、（ｂ）は開状態の機構ユニットを背側からみたときの要部正面図。
【図７】（ａ）は前後傾動運動を示す首振り式剃刀の要部側面図、（ｂ）は前後傾動運動を示す首振り式剃刀の要部側面図。
【図８】（ａ）は左右傾動運動を示す首振り式剃刀の要部正面図、（ｂ）は左右傾動運動を示す首振り式剃刀の要部正面図。
【図９】替刃カートリッジの上下運動を示す機構ユニットの要部正断面図。
【符号の説明】
１１…首振り式剃刀、１２…替刃カートリッジ、１３…ホルダ、
２５…被押圧部、２７…被把持部を構成する隔壁、２８…刃体、
７１…支持手段及び押圧部材を構成する第２プッシャ、
８１…復帰手段及び第１付勢手段を構成するプッシャ用スプリング、
１００…支持手段及び把持部材を構成する支持アーム、
１１０…復帰手段及び第２付勢手段を構成する把持用スプリング。
【図１】
2004033295.tif 000003
【図２】
2004033295.tif 000004
【図３】
2004033295.tif 000005
【図４】
2004033295.tif 000006
【図５】
2004033295.tif 000007
【図６】
2004033295.tif 000008
【図７】
2004033295.tif 000009
【図８】
2004033295.tif 000010
【図９】
2004033295.tif 000011